(57)【特許請求の範囲】
【請求項１】
静止誘導電器本体と、
前記静止誘導電器本体を収容して絶縁媒体が充填されるタンクと、
前記タンクの外側面に取り付けられた複数の支持部材と、
前記支持部材に取り付けられて前記タンクの外側面に沿って鉛直方向に延びる複数の鉛直方向支柱と、
前記鉛直方向支柱に支持されて前記タンクの外面の少なくとも一部を覆う少なくとも１枚の遮音板と、
前記複数の鉛直方向支柱同士を水平方向に接続して前記遮音板を支持する水平支持梁と、
を有することを特徴とする静止誘導電器。
【請求項２】
前記遮音板の少なくとも一部は防振部材を介して前記水平支持梁に支持されていることを特徴とする請求項１に記載の静止誘導電器。
【請求項３】
前記遮音板は、前記タンクの側面を覆うように前記水平支持梁に支持された側面遮音板を含むことを特徴とする請求項１または請求項２に記載の静止誘導電器。
【請求項４】
前記遮音板は、前記タンクの上面を覆うように前記水平支持梁に支持された上面遮音板を含むことを特徴とする請求項１ないし請求項３のいずれか一項に記載の静止誘導電器。
【請求項５】
静止誘導電器本体と、
前記静止誘導電器本体を収容して絶縁媒体が充填されるタンクと、
前記タンクの外側面に取り付けられた複数の支持部材と、
前記支持部材に取り付けられて前記タンクの外側面に沿って鉛直方向に延びる複数の鉛直方向支柱と、
前記鉛直方向支柱に支持されて前記タンクの外面の少なくとも一部を覆う少なくとも１枚の遮音板と、
を有し、
前記遮音板の少なくとも一部は防振部材を介して前記鉛直方向支柱に支持されていること、
を特徴とする静止誘導電器。
【請求項６】
前記支持部材は前記タンクのコーナー部に配設されていることを特徴とする請求項１ないし請求項５のいずれか一項に記載の静止誘導電器。
【請求項７】
前記遮音板は、前記タンクの側面を覆うように前記鉛直方向支柱に支持した側面遮音板を含むことを特徴とする請求項１ないし請求項６のいずれか一項に記載の静止誘導電器。
【請求項８】
前記遮音板は、前記タンクの上面を覆うように前記鉛直方向支柱に支持した上面遮音板を含むことを特徴とする請求項１ないし請求項７のいずれか一項に記載の静止誘導電器。
【請求項９】
請求項１ないし請求項８のいずれか一項に記載の静止誘導電器を製造する方法であって、
前記タンクを真空引きする真空引き工程と、
前記真空引き工程の後に前記絶縁媒体を前記タンク内に充填する充填工程と、
を備え、
前記支持部材は、前記真空引き工程の際に前記タンクが変形しにくい位置で前記タンクに取り付けられていること、を特徴とする静止誘導電器の製造方法。
【発明の詳細な説明】
【技術分野】
【０００１】
本発明の実施形態は、変圧器やリアクトルに代表される静止誘導電器およびその製造方法に係り、特に、静止誘導電器本体を収容するタンクからの放射音を抑制する静止誘導電器の遮音構造に関する。
【背景技術】
【０００２】
静止誘導電器の騒音は、静止誘導電器本体の振動がタンクに伝播し、タンク表面が振動し、周囲に音を放射するために発生する。この放射音の発生を抑制する手段として静止誘導電器を鉄板などで作られた防音タンク内に収容する方法もあるが、据付面積縮小化のニーズ等からこの代替構造として、タンク壁の周囲に直接遮音板を取り付けた構造が採用されている。
【０００３】
このような遮音板を用いた静止誘導電器の一例を図１５に示す。図１５に示すように、鉄心１と巻線２とからなる静止誘導電器本体が絶縁媒体を充填したタンク３に収容されている。タンク３の側面には、側面遮音板７がタンク３に取り付けられた支持部材４および支持部材１６にそれぞれ防振部材７ａ、７ｂを介してタンク３に支承されている。また、タンク３の上面には、上面遮音板１８が支持部材４および防振部材１８ａを介してタンク３に取り付けられている。
【先行技術文献】
【特許文献】
【０００４】
【特許文献１】特開平１１−１６７５０号公報
【発明の概要】
【発明が解決しようとする課題】
【０００５】
一般的に大形の静止誘導電器においては、絶縁油や絶縁ガス等の絶縁媒体がタンク内に封入されるが、その際に、静止誘導電器本体の品質保持のためにタンク３を真空にした状態で注油或いは注ガス作業が行われる。しかし、従来の遮音構造においては、タンク３に取り付けた支持部材４または支持部材７に直接、または防振部材７ａ、７ｂ、１８ａを介して遮音板７、１８を支持する構成であるため、絶縁媒体を封入する際の真空引き時にタンク３が変形した際にタンク３の変形の影響を受けることになる。タンク３の変形の影響により、以下のような課題があった。
【０００６】
第一に、真空引き時のタンク３の変形に伴い、上部支え４及び下部支え１６がタンク３に追従して変形し、続いて防振部材７ａ、７ｂ或いは１８ａに変形による力が伝わるが、遮音板７及び１８が一般的に軟鋼等の剛性の高い材料であるのに対し、防振部材７ａ及び７ｂはゴム等の剛性が小さい材料であるため、相対的に剛性の小さい防振部材７ａ、７ｂ、１８ａが破損する可能性がある。
【０００７】
第二に、タンク３の変形に追従し、遮音板７、１８が元の位置に対して変位した場合、遮音板７の外壁に直接支えられている図示しない外装部品等がタンク３及び遮音板７の変形に伴い変位し、外装部品、あるいは遮音板７やその締結部材等が損傷したり永久変形したりする可能性がある。
【０００８】
本発明の実施形態は、上記のような従来技術の課題を解決するために、静止誘導電器本体タンクに絶縁媒体を封入する際の真空引き時におけるタンクの変形の影響を受けにくい遮音構造を備えた静止誘導電器およびその製造方法を提供することを目的とする。
【課題を解決するための手段】
【０００９】
上記の課題を解決するため、本発明の一つの実施形態は、静止誘導電器本体と、前記静止誘導電器本体を収容して絶縁媒体が充填されるタンクと、前記タンクの外側面に取り付けられた複数の支持部材と、前記支持部材に取り付けられて前記タンクの外側面に沿って鉛直方向に延びる複数の鉛直方向支柱と、前記鉛直方向支柱に支持されて前記タンクの外面の少なくとも一部を覆う少なくとも１枚の遮音板と、前記複数の鉛直方向支柱同士を水平方向に接続して前記遮音板を支持する水平支持梁と、を有することを特徴とする。
また、本発明の他の一つの実施形態は、静止誘導電器本体と、前記静止誘導電器本体を収容して絶縁媒体が充填されるタンクと、前記タンクの外側面に取り付けられた複数の支持部材と、前記支持部材に取り付けられて前記タンクの外側面に沿って鉛直方向に延びる複数の鉛直方向支柱と、前記鉛直方向支柱に支持されて前記タンクの外面の少なくとも一部を覆う少なくとも１枚の遮音板と、を有し、前記遮音板の少なくとも一部は防振部材を介して前記鉛直方向支柱に支持されていること、を特徴とする。
さらに、本発明の他の一つの実施形態は、上記静止誘導電器を製造する方法であって、前記タンクを真空引きする真空引き工程と、前記真空引き工程の後に前記絶縁媒体を前記タンク内に充填する充填工程と、を備え、前記支持部材は、前記真空引き工程の際に前記タンクが変形しにくい位置で前記タンクに取り付けられていること、を特徴とする。
【図面の簡単な説明】
【００１０】
【図１】本発明の第１の実施形態に係る静止誘導電器の透視平面図。
【図２】図１のII矢視方向から見た透視側面図。
【図３】本発明の第２の実施形態に係る静止誘導電器の透視側面図。
【図４】本発明の第３の実施形態に係る静止誘導電器の透視平面図。
【図５】本発明の第４の実施形態に係る静止誘導電器の透視平面図。
【図６】本発明の第５の実施形態に係る静止誘導電器の透視平面図。
【図７】本発明の第６の実施形態に係る静止誘導電器の透視平面図。
【図８】図７のVIII矢視方向から見た透視側面図。
【図９】本発明の第７の実施形態に係る静止誘導電器の透視平面図。
【図１０】図９のＸ矢視方向から見た透視側面図。
【図１１】本発明の第８の実施形態に係る静止誘導電器の透視平面図。
【図１２】図１１のXII矢視方向から見た透視側面図。
【図１３】本発明の第９の実施形態に係る静止誘導電器の透視平面図。
【図１４】図１３のXIV矢視方向から見た透視側面図。
【図１５】従来の静止誘導電器の遮音構造を示す要部縦断面図。
【発明を実施するための形態】
【００１１】
以下、本発明に係る静止誘導電器の実施形態について、図面を参照して説明する。
【００１２】
［第１の実施形態］
本発明に係る静止誘導電器の第１の実施形態について、図１および図２を参照して説明する。図１は、本実施形態の静止誘導電器における遮音板の支持構成を静止誘導電器の上面から見た透視平面図である。図２は、図１におけるII矢視方向から見た透視側面図である。
【００１３】
本実施形態においては、鉄心１と巻線２とを備えた静止誘導電器本体が、タンク３内に収容されている。タンク３は直方体形状であって、そのタンク３内には絶縁油や絶縁ガスなどの絶縁媒体が密封されている。タンク３の外側面コーナー部には、鉛直方向に延びる支持部材４が取り付けられている。支持部材４は、図示の例では横断面がＬ字状の鋼材からできている。この支持部材４に正四角柱状の鉛直方向支柱５がタンク３の鉛直方向に沿って取り付けられている。鉛直方向支柱５には防振部材６を介して側面遮音板７が取り付けられている。防振部材６は各鉛直方向支柱５の外側の面の上端近くと下端近くに配置されている。
【００１４】
なお、図中の二点鎖線部分はタンク３内に絶縁媒体を充填する際に実施されるタンク３内の真空引き時におけるタンク３の変形状態を誇張して示した線である。
【００１５】
このように構成された本実施形態の静止誘導電器においては、鉛直方向支柱５がタンク３の真空変形による変形量の小さいタンク側面の各コーナー部に設けられていることにより、側面遮音板７はタンク３の真空引き時の変形の影響を受けにくく、元の形状を維持することが可能となる。
【００１６】
その結果、側面遮音板７を支持する防振部材６がタンク３の変形により損傷することを防ぐことができるとともに、側面遮音板７の外側に直接取り付けられる外装部品やその締結部材等の損傷や永久変形を防止することができる。
【００１７】
［第２の実施形態］
次に、本発明に係る静止誘導電器の第２の実施形態について、図３を参照して説明する。図３は、本実施形態の静止誘導電器における遮音板の支持構成を示すものであり、静止誘導電器を側面から見た透視側面図である。
【００１８】
本実施形態においては、第１の実施形態と同様に、タンク３のコーナー部に、支持部材４を介して鉛直方向に沿って鉛直方向支柱５が設けられている。そして、この鉛直方向支柱５の頂部に、防振部材８を介して上面遮音板９が取り付けられている。その他の構成については、図２に示した第１の実施形態と同様である。
【００１９】
このように構成された本実施形態においては、第１の実施形態と同様に、側面遮音板７及び上面遮音板９は真空引きの際に生ずるタンク３の変形の影響を受けにくく、元の形状を維持することが可能である。
【００２０】
以上説明したように、本実施形態においては、側面遮音板７を支持する防振部材６、および上面遮音板９を支持する防振部材８がタンク３の変形によって損傷することを防止できるとともに、遮音板７、９、および遮音板７、９に直接取り付けられる外装部品やその締結部材等の損傷、永久変形を防止することができる。
【００２１】
［第３の実施形態］
次に、本発明に係る静止誘導電器の第３の実施形態について、図４を参照して説明する。なお、上述した実施形態と同一または類似の構成には同一符号を付し、重複する説明は省略する。図４は、本実施形態の静止誘導電器における遮音板の支持構成を示すものであり、静止誘導電器を上面から見た透視平面図である。
【００２２】
本実施形態においては、図４に示すように、複数本の鉛直方向支柱５が、タンク３の周囲にタンク３の鉛直方向上下端に配設された支持部材１２により支持されている。そして、側面遮音板７が、防振部材６を介して鉛直方向支柱５に取り付けられている。
【００２３】
このように構成された本実施形態においては、真空引きに基づくタンク３の変形量の小さいタンク３の鉛直方向上下端に支持部材１２を取り付け、この支持部材１２を介して鉛直方向支柱５を支持したことにより、側面遮音板７がタンク３の変形の影響を受けずに元の形状を維持することができる。
【００２４】
このことにより、側面遮音板７を支持する防振部材６がタンク３の変形により損傷することを防ぐことができるとともに、遮音板７の外側に取り付けられる外装部品やその締結部材等の損傷、永久変形を防止することができる。また、側面遮音板７を鉛直方向支柱５の上下端部で支持したことにより遮音板７の変形を抑制することができる。
【００２５】
さらに、本実施形態においては、機器の大形化やその他の理由により、側面遮音板７を複数の小単位に分割する必要がある場合にも、これら分割された側面遮音板７をそれぞれ複数の鉛直方向支柱５を用いて支持することも可能である。
【００２６】
なお、本実施形態において、図示しないが、タンク３の真空変形による影響の少ないタンク３の鉛直方向上下端部に支持された鉛直方向支柱５の頂部に第２の実施形態と同様に防振部材６を介して上面遮音板を鉛直方向支柱に支持することにより、上面遮音板はタンクの真空変形の影響を受けずに元の形状を維持することができる。
【００２７】
［第４の実施形態］
次に、本発明に係る静止誘導電器の第４の実施形態について、図５を参照して説明する。なお、上述した実施形態と同一または類似の構成には同一符号を付し、重複する説明は省略する。図５は、本実施形態の静止誘導電器における遮音板の支持構成を示すものであり、静止誘導電器を上面から見た透視平面図である。
【００２８】
本実施形態においては、図５に示すように、タンク３の側面コーナー部に、支持部材４を介して鉛直方向支柱５を取り付ける。そしてこの鉛直方向支柱５同士を水平方向に連結する水平支持梁１０を配設する。この水平支持梁１０に、防振部材６を介して、側面遮音板７を取り付けている。水平支持梁１０は、たとえば横断面が長方形の角柱棒状であって、各鉛直方向支柱５の上端部近く同士を連結するものと、各鉛直方向支柱５の下端部近く同士を連結するものとがある。その他の構成については、図１に示した第１の実施形態と同様である。
【００２９】
なお、図５においては、水平支持梁１０と側面遮音板７との間に防振部材６を介在させているが、防振部材６は鉛直方向支柱５と水平支持梁１０との間に介在させ、遮音板７を水平支持梁１０に直接取り付けるようにしても良い。
【００３０】
このように構成された本実施形態においては、第１の実施形態の効果と同様に、側面遮音板７はタンク３の真空引き時における変形の影響を受けず、元の形状を維持することができる。このことにより、側面遮音板７を支持する防振部材６がタンク３の変形により損傷することを防ぐことができるとともに、側面遮音板７の外側に直接取り付けられる外装部品やその締結部材等の損傷や永久変形を防ぐことができる。
【００３１】
また、水平支持梁１０を設けることにより、第３の実施形態で記載したように、側面遮音板７を複数の小単位に分割する必要がある場合にも、これら分割された側面遮音板７を、それぞれ水平支持梁１０を利用して支持することができる。また、水平支持梁１０に予め分割された遮音板を組み立てて一体化した水平支持梁付きの側面遮音板７を鉛直方向支柱５に直接取り付けることもでき、組立工数および高所作業の削減が可能となる。
【００３２】
なお、図示しないが、本実施形態においても、図３に示した第２の実施形態と同様に、タンク３の真空引き時の変形による影響の少ないタンクの上下方向端部に上面遮音板９を鉛直方向支柱の頂部に防振部材を介して支持することにより、上面遮音板９はタンク３の真空引き時の変形の影響を受けずに元の形状を維持することができる。
【００３３】
［第５の実施形態］
次に、本発明に係る静止誘導電器の第５の実施形態について、図６を参照して説明する。なお、上述した実施形態と同一または類似の構成には同一符号を付し、重複する説明は省略する。図６は、本実施形態の静止誘導電器における遮音板の支持構成を示すものであり、静止誘導電器を上面から見た透視平面図である。
【００３４】
本実施形態においては、図６に示すように、タンク３の鉛直方向上下端で支持部材１２により支承した複数の鉛直方向支柱５に、鉛直方向支柱５同士を水平方向に連結する水平支持梁１０を配置し、これに防振部材６を介して、側面遮音板７を取り付けている。水平支持梁１０は、図５に示した第４の実施形態における水平支持梁１０と同様のものでよい。その他の構成については図４に示した第３の実施形態と同様である。
【００３５】
なお、図６においては、水平支持梁１０と側面遮音板７との間に防振部材６を介在させているが、鉛直方向支柱５と水平支持梁１０との間に防振部材６を介在させ水平支持梁１０と側面遮音板７を直接取り付けても良い。
【００３６】
このように構成された本実施形態においては、側面遮音板７はタンク３の真空引き時の変形の影響を受けにくく、元の形状を維持することが可能となる。このことにより、側面遮音板７を支持する防振部材６がタンク３の変形により損傷することを防ぐことができるとともに、側面遮音板７の外側に直接取り付けられる外装部品やその締結部材等の損傷、永久変形を防ぐことができる。
【００３７】
また、第４の実施形態で示した効果と同様に、水平支持梁１０を設けることにより、側面遮音板７を複数の小単位に分割する必要がある場合に、これら分割された側面遮音板７をそれぞれ単独で支持することができる。また、水平支持梁１０に予め組み立てた分割遮音板を一括で鉛直方向支柱５に取り付けることができ、組立工数及び高所作業の削減が可能になる。
【００３８】
なお、図示しないが、本実施形態においても、第２の実施形態と同様に、鉛直方向支柱５の頂部に防振部材を介して上面遮音板９を取り付けるようにしても良い。
【００３９】
［第６の実施形態］
次に、本発明に係る静止誘導電器の第６の実施形態について、図７および図８を参照して説明する。なお、上述した実施形態と同一または類似の構成には同一の符号を付し、重複する説明は省略する。図７は、本実施形態の静止誘導電器における遮音板の支持構成を示すもので、静止誘導電器を上面から見た透視平面図である。図８は、図７に示す静止誘導電器をVIII矢視方向から見た透視側面図である。
【００４０】
本実施形態においては、図７に示すように、鉛直方向支柱５をタンク３の側面コーナー部に鉛直方向に沿って設けて、各々の鉛直方向支柱５の頂部に鉛直方向支柱５同士を水平方向に連結する水平支持梁１０を配置している。図８に示すように、水平支持梁１０に、防振部材８を介して、上面遮音板９を取り付けている。その他の構成については、図３に示した第２の実施形態と同様である。
【００４１】
このように構成された本実施形態においては、第１の実施形態の効果と同様に、上面遮音板９はタンク３の真空引き時の変形の影響を受けにくく、元の形状を維持することが可能となる。このことにより、側面遮音板７と水平支持梁１０との間に介在する防振部材６、或いは上面遮音板９と鉛直方向支柱５との間に介在する防振部材８がタンク３の変形により損傷することを防ぐことができるとともに、遮音板７、９の外側に直接支えられている外装部品やその締結部材の損傷、永久変形を防ぐことができる。
【００４２】
さらに、機器の大形化、その他の理由により上面遮音板９を複数の小単位に分割する必要がある場合に、これら分割された上面遮音板９をそれぞれ単独で支持することが可能となる。また、水平支持梁１０に予め分割された遮音板を組み立てて一体化した水平支持梁付きの上面遮音板を一括で鉛直方向支柱５に取り付けることができ、組立工数及び高所作業の削減が可能になる。
【００４３】
［第７の実施形態］
次に、本発明に係る静止誘導電器の第７の実施形態について、図９および図１０を参照して説明する。なお、上述した実施形態と同一または類似の構成には同一の符号を付し、重複する説明は省略する。図９は、本実施形態の静止誘導電器における遮音板の支持構成を示すものであり、静止誘導電器を上面から見た透視平面図である。図１０は、図９のＸ矢視方向から見た透視側面図である。
【００４４】
本実施形態では、図９に示すように、タンク３の外側面の周囲に複数の鉛直方向支柱５を配置し、タンク３の鉛直方向上下端で支持部材１２により鉛直方向支柱５を支承する。側面遮音板７は、鉛直方向支柱５の上下端に設けた防振部材６を介して取り付けられている。
【００４５】
また、鉛直方向支柱５の頂部には鉛直方向支柱５同士を水平方向に連結する水平支持梁１１を配置し、これに、防振部材８を介して上面遮音板９を取り付けている。その他の構成については第６の実施形態と同様である。
【００４６】
このように構成された本実施形態においては、タンク３の真空引き時の変形による影響の小さいタンク３側面の上下端で支持された鉛直方向支柱５に防振部材６を介して側面遮音板７を取り付けたことで、前記各実施形態と同様の効果を得ることができる。
【００４７】
さらに、機器の大形化、その他の理由により、上面遮音板９を複数の小単位に分割する必要がある場合に、これら分割された上面遮音板９をそれぞれ単独で支持することができる。また、水平支持梁１１に予め組み立てた分割遮音板を一括で鉛直方向支柱５に取り付けることができ、組立工数及び高所作業の削減が可能になる。
【００４８】
［第８の実施形態］
次に、本発明に係る静止誘導電器の第８の実施形態について、図１１および図１２を参照して説明する。なお、上述した実施形態と同一または類似の構成には同一符号を付し、重複する説明は省略する。図１１は、本実施形態の静止誘導電器における遮音板の支持構成を示すもので、静止誘導電器を上面から見た透視平面図である。図１２は、図１１における静止誘導電器をXII矢視方向から見た透視側面図である。
【００４９】
本実施形態においては、図１１および図１２に示すように、鉛直方向支柱５をタンク３の側面コーナー部に鉛直方向に沿って設けている。鉛直方向支柱５の頂部に、鉛直方向支柱５同士を水平方向に連結する水平支持梁１３を配置し、さらに鉛直方向支柱５の下部に、鉛直方向支柱５を水平方向に連結する水平支持梁１４を配置している。そして、側面遮音板７が、水平支持梁１３、１４の側面に、防振部材６介して取り付けられている。さらに、上面遮音板９が、水平支持梁１３の上面に、防振部材８介して取り付けられている。
【００５０】
このように構成された本実施形態においては、タンク３の真空引き時の変形による影響の小さいタンク３の側面コーナー部に鉛直方向支柱５を設けることで、第１の実施形態と同様の効果を得ることができる。
【００５１】
また、水平方向に連結する水平支持梁１３、１４を設けたことにより、分割遮音板の場合、水平支持梁１３、１４に予め分割遮音板を組み立てて一体化した水平支持梁付きの側面遮音板や上面遮音板を鉛直方向支柱５に取り付けることができ、前記実施形態と同様の効果を得ることができる。
【００５２】
さらに機器の大形化、その他の理由により、側面遮音板７や上面遮音板９を複数の小単位に分割する必要がある場合には、これら分割された側面遮音板や上面遮音板９をそれぞれ単独で支持することが可能となる。
【００５３】
［第９の実施形態］
次に、本発明に係る静止誘導電器の第９の実施形態について、図１３および図１４を参照して説明する。なお、上述した実施形態と同一または類似の構成には同一符号を付し、重複する説明は省略する。図１３は、本実施形態の静止誘導電器における遮音板の支持構成を示すもので、静止誘導電器を上面から見た透視平面図である。図１４は、図１３のXIV矢視方向から見た透視側面図である。
【００５４】
本実施形態では、図１３および図１４に示すように、複数の鉛直方向支柱５が、タンク３の周囲に配置されている。鉛直方向支柱５は、タンク３の鉛直方向上下端で支持部材１２により支承されている。鉛直方向支柱５の頂部に鉛直方向支柱５同士を水平方向に連結する水平支持梁１３を配置し、さらに鉛直方向支柱５の下部に鉛直方向支柱５を水平方向に連結する水平支持梁１４を配置している。そして側面遮音板７が、水平支持梁１３、１４の側面に、防振部材６を介して取り付けられている。さらに、上面遮音板９が、水平支持梁１３の上面に防振部材８を介して取り付けられている。
【００５５】
このように構成された本実施形態においては、タンク３の真空引き時の変形による影響の小さいタンク３の鉛直方向上下端に配置した支持部材１２により支持された鉛直方向支柱５をタンク３周囲に複数設けて、鉛直方向支柱５の頂部に鉛直方向支柱５同士を水平方向に連結する水平支持梁１３を、また、鉛直方向支柱５の下部に鉛直方向支柱５を水平方向に連結する水平支持梁１４を配置して、水平支持梁１３、１４を介して側面遮音板７を取り付けるとともに、水平支持梁１３の上面に防振部材８を介して上面遮音板９を取り付けるようにしている。これにより、本実施形態においては、前記各実施形態と同様の効果を得ることができるとともに、機器の大形化、その他の理由により、側面遮音板７及び上面遮音板９を複数の小単位に分割する必要がある場合にも、分割された側面遮音板７および上面遮音板９を、水平支持梁１３、１４を用いて、それぞれ単独で支持することができる。また、水平支持梁１３及び１４に予め分割された遮音板を組み立てて一体化した側面遮音板７または上面遮音板を鉛直方向支柱５に取り付けることができ、組立工数及び高所作業の削減が可能になる。
【００５６】
［他の実施形態］
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５７】
たとえば、上記各実施形態の防振部材６または防振部材８を用いず、鉛直方向支柱５または水平支持梁１０などに遮音板７または９を直接取り付けてもよい。
【００５８】
また上記複数の実施形態の特徴を種々に組み合わせることもできる。
【符号の説明】
【００５９】
１…鉄心
２…巻線
３…タンク
４…支持部材
５…鉛直方向支柱
６、８…防振部材
７…側面遮音板
９…上面遮音板
１０、１１、１３、１４…水平支持梁
１２…支持部材
【図１】
0005957222.tif 000002
【図２】
0005957222.tif 000003
【図３】
0005957222.tif 000004
【図４】
0005957222.tif 000005
【図５】
0005957222.tif 000006
【図６】
0005957222.tif 000007
【図７】
0005957222.tif 000008
【図８】
0005957222.tif 000009
【図９】
0005957222.tif 000010
【図１０】
0005957222.tif 000011
【図１１】
0005957222.tif 000012
【図１２】
0005957222.tif 000013
【図１３】
0005957222.tif 000014
【図１４】
0005957222.tif 000015
【図１５】
0005957222.tif 000016